(57)【要約】【課題】印画紙を単列で搬送する印画紙供給ラインと、複列又は単列で送り込まれてくる印画紙をデジタルプリント部５によって露光させる露光搬送ラインと、前記印画紙供給ラインから受け取った印画紙を露光搬送ラインまで移送する振り分け装置４とを備え、この振り分け装置が印画紙を保持するチャッカー部６０Ｂとこのチャッカー部を印画紙の搬送方向及び印画紙の搬送方向に直角な方向に移動させる縦横移動機構４０Ｂ、５０Ｂを備えているものにおいて、チャッカー部の横移動時に印画紙の姿勢を変えてしまうといった従来の縦横移動機構がもつ欠点を解消した複列画像露光装置を提供する。【解決手段】前記縦横移動機構がレール式縦走行機構とレール式横走行機構を含み、さらに前記レール式横走行機構を構成する横走行レール５１のたわみを調整する調整手段１００が設けられている。【選択図】　図５
2004053874.tif 000002
【特許請求の範囲】
【請求項１】
印画紙を単列で搬送する印画紙供給ラインと、複列又は単列で送り込まれてくる印画紙をデジタルプリント部によって露光させる露光搬送ラインと、前記印画紙供給ラインの搬出エリアから受け取った印画紙を前記露光搬送ラインの搬入エリアまで移送する振り分け装置とを備えた複列画像露光装置であって、前記振り分け装置は、前記印画紙を保持するチャッカー部とこのチャッカー部を印画紙の搬送方向である第１方向及び印画紙の搬送方向に直角な第２方向に移動させる縦横移動機構を備えているものにおいて、
前記縦横移動機構が前記チャッカー部を第１方向に移動させるレール式縦走行機構と前記チャッカー部を前記レール式縦走行機構上で第２方向に移動させるレール式横走行機構を含み、さらに前記レール式横走行機構を構成する横走行レールのたわみを調整する調整手段が設けられていることを特徴とする複列画像露光装置。
【発明の詳細な説明】
【０００１】
【発明の属する技術分野】
本発明は、印画紙を単列で搬送する印画紙供給ラインと、複列又は単列で送り込まれてくる印画紙をデジタルプリント部によって露光させる露光搬送ラインと、前記印画紙供給ラインの搬出エリアから受け取った印画紙を前記露光搬送ラインの搬入エリアまで移送する振り分け装置とを備えた複列画像露光装置であって、前記振り分け装置は、前記印画紙を保持するチャッカー部とこのチャッカー部を印画紙の搬送方向である第１方向及び印画紙の搬送方向に直角な第２方向に移動させる縦横移動機構を備えているものに関する。
【０００２】
【従来の技術】
近年、光源からの照明光を写真フィルムに照射し、写真フィルムを透過した透過光で印画紙を露光することで写真フィルムに撮像された画像を印画紙に焼き付ける投影露光式の画像露光装置に代えて、デジタル化された撮影画像データから生成されたプリントデータに基づいてデジタルプリント部が印画紙を露光する、いわゆるデジタル露光式の画像露光装置が普及している。このようなデジタル露光式画像露光装置では、主走査方向に延びたプリントヘッドを用い、プリントヘッドと印画紙の副走査方向の相対移動により、フィルム画像全体の露光を完了するリニア露光方式を採用しているため、１コマのフィルム画像に対する露光時間が副走査速度によって決定され、その露光時間は投影露光式に比較して長くなっている。
【０００３】
この欠点を解決するため、例えば特開２００１−３３８８９号公報から、印画紙マガジンから引き出されプリントサイズにカットされた印画紙をデジタルプリント部に通じる２列の露光搬送ラインに振り分け移送する振り分け装置が備えられ、２列状態でデジタルプリント部に送り込まれた印画紙は同時に露光される複列画像露光装置が知られている。
【０００４】
【発明が解決しようとする課題】
上述したような複列画像露光装置では、印画紙振り分けのために印画紙を受け取るチャッカー部とこのチャッカー部を縦方向（印画紙搬送方向）と横方向に移動させる縦横移動機構を備えており、２列同時露光する場合は印画紙を受け取ったチャッカー部は縦横移動機構によって一方方向に横移動するとともに搬送方向に沿って縦移動した後その印画紙を露光搬送ラインの一方のラインに受け渡し、次の印画紙を受け取ったチャッカー部は縦横移動機構によって他方方向に横移動するとともに搬送方向に沿って縦移動した後その印画紙を露光搬送ラインの他方のラインに受け渡す。しかしながら、２列搬送できない大きなプリントサイズをもつ印画紙やプリントサイズは小さくても単列露光しようとする印画紙は、振り分け装置によって振り分けされずにそのまま１列状態で、つまり印画紙を受け取ったチャッカー部は縦横移動機構によって横移動することなく搬送方向に沿って縦移動した後その印画紙を露光搬送ラインに受け渡す。このようにチャッカー部に受け取られた印画紙はそのまま横移動せずに縦移動だけする移動モードと横移動と縦移動の両方を行う移動モードがある。
【０００５】
この横移動はレール式走行機構で行われるが、もしこのレールが取り付け不良等で湾曲していた場合、チャッカー部が横方向に移動すればするほどチャッカー部に受け取られている印画紙の姿勢が傾くことになる。つまり印画紙の受け取り姿勢と露光ラインへの受け渡し姿勢が異なることになる。傾斜した姿勢で露光ラインに受け渡されると、その印画紙は傾斜したままデジタルプリント部に送られ、印画紙に対して傾斜した画像が印画紙に形成されることになる。周囲に白枠を残すボーダ付きプリントを作製する場合、そのような画像の傾斜は白枠によって非常に目立つことになり、写真プリントの商品価値を著しく低下させる。
【０００６】
通常、定常的な単列搬送印画紙の傾斜は露光ヘッドの位置調整や画像データの補正によって補償することが可能であるが、このような複列画像露光装置の場合、印画紙を横移動させずにつまりレール湾曲の影響を受けずに露光ラインに送り込まれる移動モードと印画紙を横移動させる移動モードが共存するためそのような補償方法の採用は困難である。
上記実状に鑑み、本発明の課題は、チャッカー部の横移動時に印画紙の姿勢を変えてしまうといった従来の縦横移動機構がもつ欠点を解消した複列画像露光装置を提供することである。
【０００７】
【課題を解決するための手段】
上記課題を解決するため、印画紙を単列で搬送する印画紙供給ラインと、複列又は単列で送り込まれてくる印画紙をデジタルプリント部によって露光させる露光搬送ラインと、前記印画紙供給ラインの搬出エリアから受け取った印画紙を前記露光搬送ラインの搬入エリアまで移送する振り分け装置とを備えた複列画像露光装置であって、前記振り分け装置は、前記印画紙を保持するチャッカー部とこのチャッカー部を印画紙の搬送方向である第１方向及び印画紙の搬送方向に直角な第２方向に移動させる縦横移動機構を備えているものにおいて、本発明では、前記縦横移動機構が前記チャッカー部を第１方向に移動させるレール式縦走行機構と前記チャッカー部を前記レール式縦走行機構上で第２方向に移動させるレール式横走行機構を含み、さらに前記レール式横走行機構を構成する横走行レールのたわみを調整する調整手段が設けられている。
【０００８】
この構成では、チャッカー部はレール式横走行機構によって印画紙搬送方向に直交する第２方向、つまり横方向に移動させられるが、このレール式横走行機構を構成する横走行レールが組み付け不良等で撓んだ状態で固定され、結果的に横走行レール自体が湾曲していた場合、調整手段によってこのたわみを調整して横走行レール自体を直線に戻すことが可能となる。
【０００９】
この調整手段の具体的構成の１つとしては、横走行レールを固定しているレール延び方向に分布している締結ネジのうち印画紙供給搬送ラインの中心から離れた側のいくつかを緩め、その緩められた側のレールの端部をレールの湾曲が解消される方向に押し付けるセットネジ機構が挙げられる。
【００１０】
調整手段の別な具体的構成として、緩められた側のレールの端部にレールの湾曲が解消される方向に変位させることができる偏心ピン機構を設けることもスペースをあまり必要としない好適な形態として提案される。
本発明によるその他の特徴及び利点は、以下図面を用いた実施例の説明により明らかになるだろう。
【００１１】
【発明の実施の形態】
本発明による複列画像露光装置を搭載した写真処理装置の概略ブロック図が図１に示されている。この写真処理装置はデジタル露光式を採用しており、ここでは図示されていないフィルム現像機によって現像処理された写真フィルム（以後単にフィルムと称す）１のコマ画像をデジタル画像データとして取得するフィルムスキャナー３と、取得されたデジタル画像データを処理してプリントデータを作成するコントローラ７と、このプリントデータに基づいて印画紙２にコマ画像に対応する画像を露光するデジタルプリント部５と、露光された印画紙２を現像処理する現像処理部６とを備えている。現像処理部６で現像された印画紙２は、乾燥工程を経て仕上がりプリントとして排出される。
【００１２】
フィルムスキャナー３は、主な構成要素として、照明光学系３１、撮像光学系３２、ＣＣＤセンサーを用いた光電変換部３３を備えている。照明光学系３１は、白色光源としてのハロゲンランプ３１ａ、調光フィルタ３１ｂ、ミラートンネル３１ｃなどから構成され、光源からの光ビームの色分布や強度分布を整えてフィルム１のコマ画像を照射する。フィルム２からの透過光ビームを処理する撮像光学系３２は、投射光の方向を変えるミラー３２ａ、レンズユニット３２ｂ、このレンズユニットを通ってきた光ビームを３つの方向に分光するプリズム３３ｃなどから構成されている。フィルム搬送機構９によって所定のスキャン速度でフィルム１が送られることにより、フィルム１のコマ画像が副走査方向、つまりフィルムの長手方向にスキャニングされる。撮像光学系３２によって導かれた光ビームを光電変換する光電変換部３３は、プリズム３２ｃによって分光された３つの光ビーム（Ｒ・Ｇ・Ｂ）を別個に受けるため、３つのＣＣＤセンサー３３ａを備えている。
【００１３】
デジタルプリント部５には、この実施形態では、ＰＬＺＴシャッター方式が採用されている。つまり、露光ヘッド５ａとして、ＰＬＺＴ素子からなるシャッタアレイを採用したものである。このＰＬＺＴ素子からなるシャッタアレイは、チタン酸ジルコン酸鉛にランタンを添加することにより得られる透明強誘電性セラミックス材料から構成され、その材料の有する電気光学効果を利用したもので、各シャッターには光源５ｂから多数の光ファイバを介してＲ、Ｇ、Ｂ各色の光が導入される。このシャッタアレイは印画紙２の幅方向、つまり搬送方向の横断方向に沿って２列に並んだ印画紙２にわたって延びている。各シャッターに所定レベルの電圧が印加されると、光透過状態になり、その電圧の印加が停止されると光遮断状態となる。従って、コントローラ７からプリントデータに基づいて各画素に対応するシャッターに駆動電圧が印加されると、そのシャッターが開いて光源から導入されている色の光が印画紙２に照射される。光源５ｂには、Ｒ、Ｇ、Ｂの３色の光学フィルタからなる回転フィルタが備えられており、この回転フィルタを回転位相制御することにより、Ｒ、Ｇ、Ｂの内の１つが選択的に光源に対向し、その色のフィルタを介して選択色の光が光ファイバーを通じてシャッターに送られる。デジタルプリント部の方式としては、このＰＬＺＴシャッター方式以外に液晶シャッター方式、蛍光ビーム方式、レーザービーム方式、ＤＭＤ方式などが知られており、露光仕様に応じて任意に選択することができる。
【００１４】
上述したように、このデジタルプリント部５は、複列の、この実施例では２列に並んだカット印画紙２のそれぞれを同時に露光できるものである。このため、印画紙搬送機構８はカット印画紙２を単列で搬送する印画紙供給ライン８Ａと、カット印画紙２を２列で搬送する露光搬送ライン８Ｂと現像搬送ライン８Ｃとに区分けされ、印画紙供給ライン８Ａと露光搬送ライン８Ｂとの間に、印画紙供給ライン８Ａから順次送られてくる印画紙２を露光搬送ライン８Ｂの各列に振り分ける振り分け装置４が設けられている。
【００１５】
図２と図３とから明らかなように、印画紙供給ライン８Ａは、乳剤面を外側にして印画紙２をロール状に収納している２つの印画紙マガジン１０のいずれか一方から選択的に印画紙２を引き出す引き出しローラ群からなる引き出し搬送部８ａと、振り分け装置４に印画紙２を受け渡す振り分け前搬送部８ｂとから構成されている。
【００１６】
振り分け前搬送部８ｂの上流端には、印画紙マガジン１０から引き出された印画紙２をプリントサイズに合わせてカットするペーパーカッター１１が設けられており、このペーパーカッター１１の下流側に位置するバックプリント部１２が設けられている。バックプリント部１２は、印画紙２の裏面（非乳剤面）に、フィルムＩＤやコマ番号、さらにプリントデータ作成時に行われた画像処理を示す補正情報などを印字するものであり、通常ドットインパックトプリンタが用いられている。
【００１７】
振り分け前搬送部８ｂは、バックプリント部１２を挟むように配置された、２対の搬送ローラユニットを備えており、特に下流側の搬送ローラユニットは印画紙供給ライン８Ａにおける印画紙搬出エリアを構成するものであり、印画紙２の非乳剤面側に接当する駆動ローラ８１と乳剤面側に接当する圧着ローラ８２から成り、圧着ローラ８２は駆動ローラ８１に対して遠近変位可能で、駆動ローラ８１と圧着ローラ８２との間で印画紙２を圧着したり、解放したりすることができる。
【００１８】
露光搬送ライン８Ｂは、搬送方向の順で、中間搬送部８ｃと、露光搬送部８ｄと、露光後搬送部８ｅとから構成されている。これらの搬送部は全て、カット印画紙２を２列の横並びで同時搬送することが可能なように幅広の搬送ローラユニットと、それぞれの列に対応させたガイド部材を備えている。ただし、中間搬送部８ｃでは、中間駆動ローラ８３は２列をカバーする幅広ローラであるが、中間圧着ローラは、右列用と左列用とに分けられている。つまり、中間搬送部８ｃは、露光搬送ライン８Ｂの２列の搬入エリアを構成する搬送ローラユニットとして構成されており、カット印画紙２の非乳剤面側に接当する中間駆動ローラ８３とこの中間駆動ローラ８３に対して遠近変位可能な第１中間圧着ローラ８４ａと第２中間ローラ８４ｂとからなる。第１中間圧着ローラ８４ａは露光搬送ライン８Ｂの右列を搬送されるカット印画紙２を圧着し、第２中間圧着ローラ８４ｂは露光搬送ライン８Ｂの左列を搬送されるカット印画紙２を圧着するものであり、その圧着・解放操作は互いに独立的に行うことができる。つまり、２枚のカットカット印画紙２を順番に第１中間圧着ローラ８４ａと第２中間圧着ローラ８４ｂで受け取り保持し、同時に２枚のカット印画紙２を露光搬送部８ｄへ送り出すことができる。
【００１９】
露光搬送部８ｄは、デジタルプリント部５の露光ヘッド５ａを挟むように配置された入り口側の第１露光搬送ローラユニットと出口側の第２露光搬送ローラユニットとを備えており、第１露光搬送ローラユニットはカット印画紙２の非乳剤面側に接当する第１露光駆動ローラ８５とこの第１露光駆動ローラ８５に対して遠近変位可能な第１露光圧着ローラ８６を、そして第２露光搬送ローラユニットはカット印画紙２の非乳剤面側に接当する第２露光駆動ローラ８７とこの第２露光駆動ローラ８７に対して遠近変位可能な第２露光圧着ローラ８８を有している。第１・第２露光駆動ローラ８５、８７は１つの駆動源からのベルト伝動機構によって同期駆動されるが、第１・第２露光圧着ローラ８６、８８はそれぞれ独立的に対向する露光駆動ローラに対して遠近変位可能である。従って、第１露光搬送ローラユニットのみで、又は第２露光搬送ローラユニットのみで、或いは第１・第２露光搬送ローラユニットの両方でカット印画紙２を搬送することができる。
【００２０】
露光後搬送部８ｅは、第１ターン搬送ローラユニットと第２ターン搬送ローラユニットと通常の搬送ローラ群９５と、及びターンガイド９０を備えている。第１ターン搬送ローラユニットは、カット印画紙２の乳剤面側に接当する第１ターン駆動ローラ９１とこの第１ターン駆動ローラ９１に対して遠近変位可能な第１ターン圧着ローラ９２を、第２ターン搬送ローラユニットは、カット印画紙２の乳剤面側に接当する第２ターン駆動ローラ９３とこの第２ターン駆動ローラ９３に対向して取り付けられている第２ターン圧着ローラ９４を有している。第１・第２ターン搬送ローラユニットの間に配置されているターンガイド９０は、乳剤面側の内側ターンガイド９０ａと非乳剤面側の外側ターンガイド９０ｂから成り、外側ターンガイド９０ｂは、搬送下流側に設けられた揺動支点周りで外方に揺動可能であり、必要に応じてターンガイド９０を通過するカット印画紙２を外側にふくらませることができる。
【００２１】
次に、印画紙供給ライン８Ａの搬出エリアから順次送られてくるカット印画紙２を露光搬送ライン８Ｂの各列の搬入エリアに振り分ける振り分け装置４の構造について、図４〜１０を用いて説明する。なお、図４において、印画紙供給ライン８Ａの搬出エリアの中央、つまり搬出されるカット印画紙２の中心線が８０ａで示されており、露光搬送ライン８Ｂの搬入エリアの右列の中央、つまり右側に搬入されるカット印画紙２の中心線が８０ｂで、搬入エリアの左列の中央、つまり左側に搬入されるカット印画紙２の中心線が８０ｃで示されている。
【００２２】
この振り分け装置４は、ペーパーカッター１１によってカットされた印画紙２を受け取って、搬入エリアの一方の列位置まで第１縦横移動機構４Ａによって移動させられる第１チャッカー部６０Ａと、受け取ったカット印画紙２を搬入エリアの他方の列位置まで第２縦横移動機構４Ｂによって移動させられる第２チャッカー部６０Ｂとを備えている。第１縦横移動機構４Ａは、第１チャッカー部６０Ａを印画紙搬送方向の横断方向（以後この方向をＸ方向とも称する）に移動させる第１横移動機構５０Ａと、第１チャッカー部６０Ａを含めてこの第１横移動機構５０Ａを印画紙搬送方向（以後この方向をＹ方向とも称する）に移動させる第１縦移動機構４０Ａとから構成されている。同様に、第２縦横移動機構４Ｂも、第２チャッカー部６０ＢをＸ方向に移動させる第２横移動機構５０Ｂと、第２チャッカー部６０Ｂを含めてこの第２横移動機構５０ＢをＹ方向に移動させる第２縦移動機構４０Ｂとから構成されている。第１・第２チャッカー部６０Ａ、６０Ｂ、及び第１・第２縦横移動機構４Ａ、４Ｂは、それぞれ実質的には鏡対象の構造を持っているので、ここでは、第２縦横移動機構４Ｂと第２チャッカー部６０Ｂについて説明するが、その説明から容易に第１縦横移動機構４Ａと第１チャッカー部６０Ａも理解できるはずである。
【００２３】
第２縦移動機構４０Ｂは、この写真処理装置の本体フレームに固定されたレール架台４１に搬出エリア中心線８０ａから間隔をあけて、印画紙搬送方向に沿って取り付けられた走行レール４２と、この走行レール４２上をボールスプライン方式で走行する縦走行台４３を備えている。つまり、走行レール４２と縦走行台４３によってレール式縦走行機構が構築されている。この走行台４３からＸ方向外方に延びたブラケット４４が走行台４３の上面に取り付けられている。このブラケット４４には、スプロケットによって巻き回され走行レール４２に平行に延びているベルト４５が接続されており、モータ４６によるベルト４５の正逆駆動により、縦走行台４３がＹ方向で往復移動することができる。４７は、Ｙ方向に沿って複数箇所に設けられた縦走行台位置検出用のフォトインタラプタである。
【００２４】
第２横移動機構５０Ｂは、Ｘ方向に延びるとともにその左端を第２縦移動機構４０Ｂのブラケット４４の取付プレート部に締結ボルト５１ａよって締め付け固定されている走行レール５１と、この走行レール５１上をボールスプライン方式で走行する横走行台５２を備えている。つまり、走行レール５１と横走行台５２によってレール式横走行機構が構築されている。横走行台５２にはさらにブラケット５３が取り付けられており、このブラケット５３には、スプロケットによって巻き回され走行レール５１に平行に延びているベルト５４が接続されており、第１縦移動機構４０Ａのブラケット４４に固定されたモータ５５によるベルト５４の正逆駆動により、横走行台５２がＸ方向で往復移動することができる。図示はされていないが、この横走行台５２の位置を検出するためのフォトインタラプタも複数設けられている。
【００２５】
この実施形態では、図６に示されているように、走行レール５１は４本の締結ボルト５１ａによって固定されているが、この４本の締結ボルト５１ａのうち搬出エリア中心線８０ａ側の２本はリーマボルトような構成となっており、ブラケット４４の所定位置に走行レール５１を不動に締め付け固定することができる。
これに対して、搬出エリア中心線８０ａから遠く離れた位置に配置されている他の２本の締結ボルト５１ａの軸部と対応するブラケット４４に設けられた取付孔との間にはわずかな遊びが形成されており、この締結ボルト５１ａを緩めた状態で、走行レール５１の左（搬出エリア中心線８０ａから遠く離れた側）端部に力を加えることで走行レール５１をわずかに撓ませることができる。この目的のために、走行レール５１の左端領域の両側にセットネジ１０１とこのセットネジ１０２が貫通螺合するブラケット１０２とからなるネジ式調整手段１００が設けられている。このようなネジ式調整手段１００はよく知られているセットネジ機構であることから詳しい説明は省略するが、左側の２本の締結ボルト５１ａを緩めた状態で、いずれかのセットネジ１０１を回してその先端を走行レール５１の側面を押し付けることにより、走行レール５１の直線性を調整することができる。
この走行レール５１の直線性を維持することで、第２チャッカー部６０Ｂが搬出エリア中心線８０ａ側に位置した際の保持印画紙の姿勢と第２チャッカー部６０Ｂが搬出エリア中心線８０ａから離れて位置した際の保持印画紙２の姿勢の同一性が保証される。つまり、振り分け前搬送部８ｂから送り出された印画紙２をそのまままっすぐに中間搬送部８ｃに移送した場合と振り分け前搬送部８ｂから送り出された印画紙２を左側に振って中間搬送部８ｃに移送した場合とで中間搬送部８ｃに受け渡された印画紙２の姿勢が異なることがなくなる。
【００２６】
走行レール５１のたわみを調整する調整手段としては、図７で示されたネジ式調整手段１００以外に種々の改変例を採用することができるが、ここではそのような改変例の１つとして、図７に示されている偏心ピン機構を採用した偏芯回転式調整手段２００を取り上げる。図７から明らかなように、走行レール５１の左端に円弧状凹部２０３が形成されており、この円弧状凹部２０３の適合するように調整円板２０１が配置されている。調整円板２０１のための偏芯回転軸として機能する偏芯ピン２０２がブラケット４４に取り付けられており、この偏芯ピン２０２に調整円板２０１が回転可能に装着されている。この構成により、調整円板２０１が時計方向に回転変位すると走行レール５１の端部を図７において下方に変位させ、調整円板２０１が反時計方向に回転変位すると走行レール５１の端部を図７において上方に変位させる。つまり、走行レール５１をブラケット４４に固定している４本の締結ボルト５１ａのうち左側の２本の締結ボルト５１ａを緩めた状態で、調整円板２０１をいずれかの方向に回すことにより走行レール５１の直線性を調整することができる。
【００２７】
第２横移動機構５０Ｂのブラケット５３には、第２チャッカー部６０Ｂを構成するペーパーガイド部６１が取り付けられている。このペーパーガイド部６１には、振り分け前搬送部８ｂによって送られてきた印画紙２の通過を許すスリット６１ａが形成されており、このスリット６１ａは第１チャッカー部６０Ａに向かい合う側を開口させている。スリット６１ａに進入してきた印画紙２を圧着保持するために、印画紙２に対して遠近摺動するチャックピン６２が印画紙幅方向に２カ所設けられている。図１０からよく理解できるように、このチャックピン６２はバネ６３ａによって印画紙圧着方向に付勢されているが、モータ６５によって回動させられるカム６４によって動作するリンク部材６３がチャックピン６２を印画紙２に押しつける圧着位置とチャックピン６２の押しつけを解放する解放位置とに選択的に切り換える。第２チャッカー部６０Ｂに保持される印画紙２の中心が位置するチャッカー保持中心線８０ｄが図４に関して振り分け装置４の左端から搬出エリア中心線８０ａに一致する位置まで、第２チャッカー部６０ＢはＸ方向移動可能となっている。同様に第１チャッカー部６０Ａも、そのチャッカー保持中心線８０ｄが図４に関して振り分け装置４の右端から搬出エリア中心線８０ａに一致する位置までＸ方向移動可能となっている。
【００２８】
従って、それぞれスリット６１ａに進入した印画紙２をチャックピン６２で保持すると、第１チャッカー部６０Ａのチャッカー保持中心線８０ｄを露光搬送ライン８Ｂの右列の搬入エリアの中心線８０ｂに一致するように第１チャッカー部６０ＡはＸ＿Ｙ移動することができるし、第２チャッカー部６０Ｂのチャッカー保持中心線８０ｄを露光搬送ライン８Ｂの左列の搬入エリアの中心線８０ｃに一致するように第２チャッカー部６０ＢはＸ＿Ｙ移動することができ、その際、第１チャッカー部６０Ａは振り分け装置４の右側領域を、第２チャッカー部６０Ｂは振り分け装置４の左側領域を、保持するカット印画紙２のサイズに応じて決定される移動パターンでもって移動する。
【００２９】
各種処理情報を表示するモニター７ａや各種処理命令を入力するための操作卓７ｂが接続されているコントローラ７は、ＣＰＵ、ＲＯＭ、ＲＡＭ、Ｉ／Ｆ回路などからなるマイクロコンピュータシステムを中核部材として構成され、上述したようなこの写真処理装置の制御に必要な各種機能をハードウエア又はソフトウエア或いはその両方で実現させている。ここで実現されている主な機能要素は、図１１に示すように、フィルム搬送機構９とフィルムスキャナー４を制御するスキャナー制御部７１、フィルムスキャナー３によって取得した画像データに対してホワイトバランスやネガポジ反転や輪郭強調などの種々の画像処理を行ってプリントデータを生成する画像処理部７２、画像処理部７２によって処理された画像データをモニター７ａに表示するためのビデオ信号を生成するビデオ処理部７３、プリントデータに基づいてデジタルプリント部５を駆動するデジタルプリント制御部７４、バックプリント部１２を駆動するバックプリント制御部７５、印画紙搬送機構８を制御する印画紙搬送制御部７６、振り分け装置４を制御する振り分け制御部７７である。さらに、コントローラ７には、ＣＤ−ＲＯＭやＭＯやＦＤなどの画像データ記録メディアから画像データを受け付けたり、通信回線を介して伝送されてくるデジタル画像データを受け付ける外部画像入力部７ｃが接続されている。この外部画像入力部７ｃが設けられていることにより、この写真処理装置は、入力されるオリジナル画像として写真フィルムだけでなく、デジタルカメラによって撮像された画像、外付けのフィルムスキャナーによって読み取られた画像、コンピュータグラフィックソフトなどで作成されたＣＧ画像をも取り扱うことができる。
【００３０】
振り分け制御部７７は、印画紙サイズに応じて異なる複数の移動パターンを備えているが、まずここでは比較的小さなサイズのカット印画紙２を順次左右に振り分けて中間搬送部８ｃに移送する移動パターンＡを、図１２と図１３を用いて説明する；その際、１枚目のカット印画紙２を印画紙Ｉ　、２枚目のカット印画紙２を印画紙ＩＩ、３枚目のカット印画紙２を印画紙ＩＩＩ　と呼ぶことにする。
【００３１】
（１）図１２（イ）プリントサイズに応じた長さ分だけペーパーカッター１１のカッティングラインより引き出されカットされることで、長尺の印画紙２は印画紙Ｉ　となる。
（２）図１２（ロ）印画紙Ｉ　は第１チャッカー部６０Ａのスリット６１ａ内に進入し、チャックピン６２によって保持される。
（３）図１２（ハ）第１チャッカー部６０Ａが、印画紙Ｉ　の後端が引き出し搬送部８ａから出るまでＹ方向に上昇し、その後右上方に斜行する。これにともなって空きとなった振り分け前搬送部８ｂの搬出エリアへ第２チャッカー部６０Ｂが移動する。
（４）図１２（ニ）第１チャッカー部６０Ａが印画紙Ｉ　を中間搬送部８ｃの右列の搬入エリアに移載すると、印画紙Ｉ　は第１中間圧着ローラ８４ａによって圧着保持される。その間に、次のカットされた印画紙ＩＩが第２チャッカー部６０Ｂに保持される。
（５）図１３（ホ）第２チャッカー部６０Ｂが、印画紙ＩＩの後端が引き出し搬送部８ａから出るまでＹ方向に上昇し、その後左上方に斜行する。
（６）図１３（へ）第２チャッカー部６０Ｂが印画紙ＩＩを中間搬送部８ｃの左列の搬入エリアに移載すると、印画紙ＩＩは第２中間圧着ローラ８４ｂによって圧着保持される。その間に、次の印画紙を受け入れるために第１チャッカー部６０Ａが振り分け前搬送部８ｂの搬出エリアへ戻る。
（７）図１３（ト）第１・第２中間圧着ローラ８４ａ、８４ｂに保持されていた印画紙Ｉ　とＩＩは同時に所定の露光タイミングで露光搬送部８ｄに送り込まれる。
（８）図１３（チ）第１チャッカー８４ａが印画紙ＩＩＩ　を保持して中間搬送部８ｃの右列の搬送エリアに向かうとともに、次の印画紙を受け入れるために第２チャッカー部６０Ｂが振り分け前搬送部８ｂの搬出エリアへ戻る。
【００３２】
次に、カット印画紙２をそのまま左右に振り分けなしで直線的に中間搬送部８ｃに移送する移動パターンＢを、図１４を用いて説明する。
（１）図１４（イ）プリントサイズに応じた長さ分だけペーパーカッター１１のカッティングラインより引き出されカットされることで、長尺の印画紙２は印画紙Ｉ　となる。第１チャッカー部６０Ａと第２チャッカー部６０Ｂが互いに中央に寄り合って印画紙Ｉ　を待ち受ける。
（２）図１４（ロ）印画紙Ｉ　の右側半分は第１チャッカー部６０Ａのスリット６１ａ内に進入するとともに印画紙Ｉ　の左側半分は第２チャッカー部６０Ｂのスリット６１ａ内に進入、それぞれチャックピン６２によって保持される。
（３）図１４（ハ）第１チャッカー部６０Ａと第２チャッカー部６０Ｂが、印画紙Ｉ　を保持したまま同期してＹ方向に上昇する。
（４）図１４（ニ）第１チャッカー部６０Ａと第２チャッカー部６０Ｂが共同して印画紙Ｉ　を中間搬送部８ｃの搬入エリアに到達すると、印画紙Ｉ　は第１中間圧着ローラ８４ａと第２中間圧着ローラ８４ｂによって圧着保持される。印画紙Ｉ　の保持を解除した第１チャッカー部６０Ａと第２チャッカー部６０Ｂは再び振り分け前搬送部８ｂの搬出エリアへ戻り、次の印画紙ＩＩを受け入れるために待機する。第１中間圧着ローラ８４ａと第２中間圧着ローラ８４ｂによって圧着保持された印画紙Ｉは所定の露光タイミングで露光搬送部８ｄに送り込まれる。
【００３３】
上述した移動パターンＢでは、カット印画紙２を受け取った第１チャッカー部６０Ａと第２チャッカー部６０Ｂは横移動（Ｘ方向）をともなわずにカット印画紙２を第１中間圧着ローラ８４ａと第２中間圧着ローラ８４ｂに受け渡すことになるので、振り分け前搬送部８ｂでのカット印画紙２の受け取り姿勢と中間搬送部８ｃでのそのカット印画紙の受け渡し姿勢は走行レール５１の湾曲によって影響されない。これに対して、移動パターンＡでは、カット印画紙２を受け取った第１チャッカー部６０Ａ又は第２チャッカー部６０Ｂは横移動（Ｘ方向）によってカット印画紙２を横方向に振った後第１中間圧着ローラ８４ａ又は第２中間圧着ローラ８４ｂにカット印画紙２を受け渡すことになる。このため、横移動用の走行レール５１が取付時の撓み等で湾曲していた場合、振り分け前搬送部８ｂでのカット印画紙２の受け取り姿勢と中間搬送部８ｃでのそのカット印画紙２の受け渡し姿勢が異なることになる。傾斜した姿勢で露光ラインに受け渡されると、そのカット印画紙２は傾斜したままデジタルプリント部５に送られ、カット印画紙２に対して傾斜した画像が形成されることになる。
【００３４】
横移動用の走行レール５１は縦移動用の走行レール４２によって縦移動するブラケット４４に固定されている構造であることから、そのレールサイズは走行レール４２較べて小さく、低剛性となっており、組み付け時に撓みが生じやすい。従って、カット印画紙２に対する露光画像の位置調整は、まず移動パターンＢによって得られるプリント状態に基づいて行われ、そのような位置調整後、移動パターンＡにおいて生じるカット印画紙２に対する露光画像の位置ずれ（傾斜）は、前述した調整手段１００又は２００を用いた走行レール５１に対する直線性調整によって解決する。
【図面の簡単な説明】
【図１】本発明による複列画像露光装置を採用した写真処理装置の全体ブロック図
【図２】振り分け装置とデジタルプリント部周辺での印画紙搬送を説明する説明図
【図３】振り分け装置とデジタルプリント部周辺での印画紙搬送機構を示す概略側面図
【図４】振り分け装置の概略正面図
【図５】第２チャッカー部の概略斜視図
【図６】振り分け装置の概略側面図
【図７】ネジ式調整手段の構成を示す概略正面図
【図８】偏芯回転式調整手段の構成を示す概略正面図
【図９】振り分け装置の第２チャッカー部を示す概略平面図
【図１０】チャックピンの動作を説明する説明図
【図１１】コントローラの機能を示す機能ブロック図
【図１２】チャッカー部の移動パターンＡを説明する説明図
【図１３】チャッカー部の移動パターンＡを説明する説明図
【図１４】チャッカー部の移動パターンＢを説明する説明図
【符号の説明】
１　フィルム
２　印画紙（カット印画紙）
３　フィルムスキャナー
４　振り分け装置
４ａ　第１縦横移動機構
４ｂ　第２縦横移動機構
５　デジタルプリント部
６　現像処理部
７　コントローラ
８　印画紙搬送機構
９　フィルム搬送機構
１１　ペーパーカッター
４０Ａ　第１縦移動機構
４０Ｂ　第２縦移動機構
４２走行レール（レール式縦走行機構）
４３縦走行台（レール式縦走行機構）
５０Ａ　第１横移動機構
５０Ｂ　第２横移動機構
５１走行レール（レール式横走行機構）
５２横走行台（レール式横走行機構）
６０Ａ　第１チャッカー部
６０Ｂ　第２チャッカー部
１００ネジ式調整手段
２００偏芯回転式調整手段
【図１】
2004053874.tif 000003
【図２】
2004053874.tif 000004
【図３】
2004053874.tif 000005
【図４】
2004053874.tif 000006
【図５】
2004053874.tif 000007
【図６】
2004053874.tif 000008
【図７】
2004053874.tif 000009
【図８】
2004053874.tif 000010
【図９】
2004053874.tif 000011
【図１０】
2004053874.tif 000012
【図１１】
2004053874.tif 000013
【図１２】
2004053874.tif 000014
【図１３】
2004053874.tif 000015
【図１４】
2004053874.tif 000016